【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
流体清浄器において、
内壁、この内壁よりも横方向寸法が大きい外壁、前記内壁と前記外壁との間又は前記内壁内のいずれかにチャンバを形成する底部を持つハウジングであって、前記ハウジングが、長さ方向中央軸線及びこの軸線に沿って間隔が隔てられた一対の両端部を有しており、また、流体の流れを前記チャンバを通して前記軸線と平行な方向に流すことができるように前記端部の一方に流体入口が形成され且つ前記端部の他方に流体出口が画成されている、ハウジング、
前記チャンバ内に配置された、前記チャンバを横切って前記軸線に対して垂直方向に延びる少なくとも一つの非磁性層、及び
前記チャンバ内に配置された、前記チャンバを横切って前記軸線に対して垂直方向に延びる、磁石を含む少なくとも一つの磁性層、
を含む、流体清浄器。
【請求項２】
請求項１に記載の流体清浄器において、
前記非磁性層はセラミックを含む、流体清浄器。
【請求項３】
請求項２に記載の流体清浄器において、
前記セラミックは顆粒状セラミック粒子を含む、流体清浄器。
【請求項４】
請求項１に記載の流体清浄器において、
前記非磁性層は顆粒状粒子を含む、流体清浄器。
【請求項５】
請求項１に記載の流体清浄器において、
前記磁性層はその中に磁鉄鉱片を含む、流体清浄器。
【請求項６】
請求項５に記載の流体清浄器において、
前記非磁性層は顆粒状セラミック粒子を含む、流体清浄器。
【請求項７】
請求項１に記載の流体清浄器において、
前記入口と隣接するフィルタを含む、流体清浄器。
【請求項８】
請求項７に記載の流体清浄器において、
前記磁性層は前記フィルタと前記セラミック層との間に配置されている、流体清浄器。
【請求項９】
請求項５に記載の流体清浄器において、
前記チャンバ内に配置された少なくとも一対の磁性層を含み、これらの磁性層の一方は前記流体入口と前記セラミック層との間に配置されており、前記磁性層の他方は前記セラミック層と前記流体出口との間に配置されている、流体清浄器。
【請求項１０】
請求項９に記載の流体清浄器において、
前記磁性層の夫々の磁石は、前記長さ方向中央軸線及び前記流体の前記流れの方向と平行な磁力線を発生する、流体清浄器。
【請求項１１】
請求項１０に記載の流体清浄器において、
隣接した磁性層の夫々の磁石は、隣接した磁石の同じ極性が互いに向き合うように位置決めされており、前記磁力線は前記磁性層を通過し、これによって前記磁鉄鉱片を磁化する、流体清浄器。
【請求項１２】
請求項９に記載の流体清浄器において、
隣接した磁性層の夫々の磁石は、隣接した磁石の同じ極性が互いに向き合うように位置決めされている、流体清浄器。
【請求項１３】
請求項１に記載の流体清浄器において、
前記入口と隣接するフィルタを含み、前記磁性層は前記フィルタと前記非磁性層との間に配置されている、流体清浄器。
【請求項１４】
請求項１に記載の流体清浄器において、
前記チャンバ内に配置された少なくとも一対の磁性層を含み、前記磁性層の一方が前記流体入口と前記非磁性層との間に配置されており、他方の前記磁性層が前記非磁性層と前記流体出口との間に配置されている、流体清浄器。
【請求項１５】
請求項１４に記載の流体清浄器において、
前記磁性層の夫々の磁石は、前記長さ方向中央軸線及び前記流体の前記流れ方向と平行な磁力線を発生する、流体清浄器。
【請求項１６】
請求項１５に記載の流体清浄器において、
隣接した磁性層の夫々の磁石は、隣接した磁石の同じ極性が互いに向き合うように位置決めされており、前記磁力線は前記磁性層を通過する、流体清浄器。
【請求項１７】
請求項１４に記載の流体清浄器において、
隣接した磁性層の夫々の磁石は、隣接した磁石の同じ極性が互いに向き合うように位置決めされている、流体清浄器。
【請求項１８】
請求項１に記載の流体清浄器において、
前記流体清浄器はシャワーフィルタである、流体清浄器。
【請求項１９】
請求項５に記載の流体清浄器において、
前記流体清浄器はシャワーフィルタである、流体清浄器。
【請求項２０】
請求項９に記載の流体清浄器において、
前記流体清浄器はシャワーフィルタである、流体清浄器。
【請求項２１】
請求項１１に記載の流体清浄器において、
前記流体清浄器はシャワーフィルタである、流体清浄器。
【請求項２２】
請求項１に記載の流体清浄器において、
前記チャンバは前記内壁及び前記外壁によって形成され、前記磁石は環状である、流体清浄器。
【請求項２３】
請求項１０に記載の流体清浄器において、
前記チャンバは前記内壁及び前記外壁によって形成され、前記磁石は環状である、流体清浄器。
【請求項２４】
請求項１６に記載の流体清浄器において、
前記チャンバは前記内壁及び前記外壁によって形成され、前記磁石は環状である、流体清浄器。
【請求項２５】
流体清浄器において、
内壁、この内壁よりも横方向寸法が大きい外壁、これらの間にチャンバを形成する底部を持つハウジングであって、前記ハウジングが、長さ方向中央軸線及びこの軸線に沿って間隔が隔てられた一対の両端部を有し、また、流体の流れを前記チャンバを通して前記軸線と平行な方向に流すことができるように前記端部の一方に流体入口が形成されており且つ前記端部の他方に流体出口が画成されている、ハウジング、
前記入口と隣接して配置されたフィルタ、
前記チャンバ内に前記フィルタと前記出口との間に配置された、少なくとも一つのセラミック層であって、顆粒状セラミック粒子を含み、前記チャンバを横切って前記軸線に対して垂直方向に延びるセラミック層、および
前記チャンバ内に配置された、環状磁石及び磁鉄鉱片を含む、前記チャンバを横切って前記軸線に対して垂直方向に延びる少なくとも一対の磁性層であって、これらの磁性層のうちの一方が前記フィルタと前記セラミック層との間に配置されており、前記磁性層のうちの他方が前記セラミック層と前記出口との間に配置された磁性層、
を備え、
少なくとも一対の前記環状磁石が前記チャンバ内に配置されており且つ前記軸線を同軸に取り囲んでおり、
前記環状磁石が前記長さ方向中央軸線と平行な磁力線を前記流体の前記流れ方向に発生するように、前記磁石のうちの一方が前記セラミック層と前記入口との間に配置されており、前記磁石のうちの他方が前記セラミック層と前記出口との間に配置されており、
前記環状磁石は、前記環状磁石のうちの隣接した磁石の同じ極性が互いに向き合うように配置されており、
前記磁力線は、前記磁性層を通過し、これによって前記磁性層内の前記磁鉄鉱粒子を磁化する、流体清浄器。
【請求項２６】
請求項２５に記載の流体清浄器において、前記流体清浄器はシャワーフィルタである、流体清浄器。
【請求項２７】
流体清浄器において、
内部にチャンバを持つハウジング、
前記チャンバを通して流体を流すことができるようにする、前記ハウジングの一端と隣接した入口及び前記ハウジングの他端と隣接した出口、および
前記流体が通って流れる前記チャンバ内の材料、
を備え、前記材料は、セラミック、及び異なる態様では不規則な形状の磁石片を含む、流体清浄器。
【請求項２８】
請求項２７に記載の流体清浄器において、
前記セラミックはセラミック粒子を含み、前記セラミック片は第１層に位置決めされており、前記磁石片は前記第１層とは別個の別の層に位置決めされている、流体清浄器。
【請求項２９】
請求項２７に記載の流体清浄器において、
前記セラミックは前記磁石片にコーティングしてある、流体清浄器。
【請求項３０】
請求項２７に記載の流体清浄器において、
前記材料は磁鉄鉱片を含む、流体清浄器。
【請求項３１】
請求項３０に記載の流体清浄器において、
前記セラミックは前記磁石片及び／又は前記磁鉄鉱片のうちの少なくとも一方にコーティングしてある、流体清浄器。
【請求項３２】
請求項２７に記載の流体清浄器において、
前記ハウジングは、内壁、この内壁よりも横方向寸法が大きい外壁、および、前記内壁と前記外壁との間又は前記内壁内のいずれかにチャンバを形成する底部を有し、
前記ハウジングは長さ方向中央軸線を有し、前記流体は前記チャンバ及びこのチャンバ内の前記セラミック粒子及び磁石片を通って前記軸線と平行な方向に流れ、
前記チャンバ内の前記材料は前記チャンバを横切って前記軸線に対して垂直方向に延びる、流体清浄器。
【請求項３３】
請求項２８に記載の流体清浄器において、
前記ハウジングは、内壁、この内壁よりも横方向寸法が大きい外壁、および、前記内壁と前記外壁との間又は前記内壁内のいずれかにチャンバを形成する底部を有し、
前記ハウジングは長さ方向中央軸線を有し、前記流体は前記チャンバ及びこのチャンバ内の前記セラミック及び磁石片を通って前記軸線と平行な方向に流れ、
前記チャンバ内の前記材料は前記チャンバを横切って前記軸線に対して垂直方向に延びる、流体清浄器。
【請求項３４】
請求項２９に記載の流体清浄器において、
前記ハウジングは、内壁、この内壁よりも横方向寸法が大きい外壁、および、前記内壁と前記外壁との間又は前記内壁内のいずれかにチャンバを形成する底部を有し、
前記ハウジングは長さ方向中央軸線を有し、前記水は前記チャンバ及びこのチャンバ内の前記セラミック及び磁石及び磁鉄鉱片を通って前記軸線と平行な方向に流れ、
前記チャンバ内の前記材料は前記チャンバを横切って前記軸線に対して垂直方向に延びる、流体清浄器。
【請求項３５】
請求項３１に記載の流体清浄器において、
前記ハウジングは、内壁、この内壁よりも横方向寸法が大きい外壁、および、前記内壁と前記外壁との間又は前記内壁内のいずれかにチャンバを形成する底部を有し、
前記ハウジングは長さ方向中央軸線を有し、前記流体は前記チャンバ及びこのチャンバ内の前記セラミック及び粒子を通って前記軸線と平行な方向に流れ、
前記チャンバ内の前記材料は前記チャンバを横切って前記軸線に対して垂直方向に延びる、流体清浄器。
【請求項３６】
流体清浄器において、
内部にチャンバを持つハウジング、
前記チャンバを通して流体を流すことができるようにする、前記ハウジングの一端と隣接した入口及び前記ハウジングの他端と隣接した出口、
前記チャンバ内の少なくとも一つの磁石であって、この磁石を通って流体が流れる磁石、
前記チャンバ内の、前記流体が流れる粒子状材料であって、セラミックでコーティングした磁鉄鉱片を前記磁石と隣接して含む粒子状材料を含む、流体清浄器。
【請求項３７】
請求項３６に記載の流体清浄器において、
複数の前記磁石が流体の流れ方向で互いから間隔が隔てられており、前記磁鉄鉱片がセラミックでコーティングされている、流体清浄器。
【請求項３８】
請求項３６に記載の流体清浄器において、
前記ハウジングは、内壁、この内壁よりも横方向寸法が大きい外壁、前記内壁と前記外壁との間又は前記内壁内のいずれかにチャンバを画成する底部を有し、
前記ハウジングは長さ方向中央軸線を有し、前記流体は前記チャンバ及びこのチャンバ内の前記セラミックでコーティングした磁鉄鉱片を通って前記軸線と平行な方向に流れ、
前記セラミックでコーティングした磁鉄鉱片は前記チャンバを横切って前記軸線に対して垂直方向に延びる、流体清浄器。
【請求項３９】
磁性層の所定の断面積に対して実質的に斜めに磁性層を通って流れる所定量の流体の磁化処理の有効性を増加させる方法であって、
上記磁性層の断面積を上記所定の断面積から減少された断面積へ減らすことと、
処理される流体を上記減少された断面積の上記磁性層を通して流すことと
からなる、方法。
【請求項４０】
請求項３９に記載の方法において、
上記磁性層の磁界強度は、上記磁性層の断面積を上記減少された断面積へ減らすことににより増加される、方法。
【請求項４１】
請求項３９に記載の方法において、
上記磁性層を通る流体の流速は、上記磁性層の断面積を上記減少された断面積へ減らすことにより増加される、方法。
【請求項４２】
請求項３９に記載の方法において、
上記磁性層の磁界の強度および上記磁性層を通る流体の流速は、上記磁性層の断面積を上記減少された断面積へ減らすことにより増加される、方法。
【請求項４３】
流体清浄器において、
内壁、この内壁よりも横方向寸法が大きい外壁、前記内壁と前記外壁との間にチャンバを形成する底部を持つハウジングであって、上記ハウジングが、長さ方向中央軸線およびこの軸線に沿って間隔が隔てられた一対の両端部を有しており、また、流体を前記チャンバを通して前記軸線と平行な方向に流すことができるように前記端部の一方に流体入口が形成され且つ前記端部の他方に流体出口が画成されている、ハウジングと、
前記チャンバ内に配置された、少なくとも一つの磁性層であって、前記磁性層は磁界を有し、前記磁界が前記チャンバを横切って前記軸線に対して垂直方向に延びる、磁性層、
を含む、流体清浄器。
【請求項４４】
請求項４３に記載の流体清浄器において、  
前記磁性層は、内部に磁界を有する粒子の媒体を含む、流体清浄器。